(57)【要約】【課題】  野地板に大き目の開口部を設けたとしても、所定の寸法（面積）の開口部を容易且つ確実に形成することができ、また、大き目の切り込みを設けたとしても、容易且つ確実にすぐれた防水性を付与することができるとともに、瓦の重合部の隙間から小動物等が侵入したとしても、室内にこれらが入り込むのを防ぐ屋根換気用シートを提供する。【解決手段】軟質防水シート２ａ、接着剤層３、及び離型紙層４の順での積層シート１ａからなり、中央部付近には換気用開口部５が設けられ、該換気用開口部５には虫や小動物の侵入を防ぐ小孔５ａが多数形成されていることを特徴とする屋根換気用シートである。【選択図】  図１
2009243115.tif 000002
【特許請求の範囲】
【請求項１】
軟質防水シート、接着剤層、及び離型紙層の順での積層シートからなり、該積層シートの中央部付近には換気用開口部が設けられ、該換気用開口部には虫や小動物の侵入を防ぐ小孔が多数形成されていることを特徴とする屋根換気用シート。
【請求項２】
軟質防水シートの表面にポリエチレンラミネート層を設けたことを特徴とする請求項１に記載の屋根換気用シート。
【請求項３】
換気用開口部の周囲に軟質の水返し部を設けたことを特徴とする請求項１又は２に記載の屋根換気用シート。
【請求項４】
軟質の水返し部がＥＰＤＭシーラーからなることを特徴とする請求項３に記載の屋根換気用シート。
【発明の詳細な説明】
【技術分野】
【０００１】
本発明は野地板や棟の部分に開口部（換気口）を設けて屋根裏の換気を行う際に用いる換気用シートに関し、更に詳しくは、所定の寸法（面積）の開口部が容易かつ確実に形成されるとともに、防水性が高く、施工が容易で、小鳥や虫等の小動物の侵入を防ぐことができる屋根換気用シートに関するものである。
【背景技術】
【０００２】
従来、屋根裏の換気を行う方法としては、屋根の野地板に開口部を設けたり、両流れ屋根の頂部（棟部分）において２枚の野地板の間に開口部を設けてここから排気を行えるようにし、この上に野地板換気装置や棟換気装置を設置し、さらにこの上から瓦を葺く屋根裏換気方法が採用されている。
例えば、屋根野地面に設けられた通気口（開口部）と換気装置の換気口との間にジグザグ状通路を設けた換気装置（例えば、特許文献１参照）、屋根野地面に設けられた開口部を覆うカバー体の周縁と開口部周縁との間に目の粗いメッシュを張設した換気屋根構造（例えば、特許文献２参照）、通風口に所定間隔毎に複数の突起を形成した換気用偏平ダクト（例えば、特許文献３参照）等が提案されている。
更に、野地板に設けた開口部に上下２枚の金属板を配して通風間隙を形成する屋根裏の換気工法が提案されている（例えば、特許文献４参照）。
【０００３】
両流れ屋根の頂部に設けた開口部から排気を行うものとしては、換気口を有する内門型部材と換気口を有する外門型部材とが下部で取付部により一体化されるとともに、該外門型部材に地瓦支持部を設けた棟換気装置及びこれを用いた棟換気構造が提案されている（例えば、特許文献５）。
【０００４】
しかしながら、換気口（開口部）から風雨や小動物が入りにくい構造とするために、特許文献１ではジグザグ状通路を形成する必要があるばかりでなく、該ジグザグ状通路で風雨を遮断するためには厳密な設計が必要であり、また、特許文献２では狭い範囲に正確にメッシュを張設する必要があり、更に、特許文献３では複数の突起を形成する必要があり、いずれも構造が複雑となり設置が困難とならざるを得ない。
また、屋根の後方（上方、陳方向、以下同じ）側における換気装置の防水は、ルーフィング等の防水性下葺き材を被覆するように敷設することによりなされており、施工に手間が掛かり、また換気装置の端部取り合い部で漏水しやすいという問題を含んでいる。
【０００５】
一方、特許文献４では、通風間隙は２枚の金属板を野地板に対して略平行に配することにより形成されているため、特許文献１〜３に比べて構造は簡単であるが、前方（下方、軒方向）の瓦の重合部の隙間から小動物等が通風間隙に侵入しやすいという問題を含んでいる。
また、特許文献５でも、特許文献４と同様、瓦の重合部の隙間から侵入した小動物等が換気口に入り込みやすいという問題がある。
【０００６】
更に、上記従来技術に共通する問題として、野地板面や両流れ屋根の開口部に上記したような各種換気部材を取り付けるに際し、開口部は現場加工で設けるため、野地板や、アスファルトルーフィング等の防水性下葺き材に大き目の開口部を設けたり、大き目の切り込みを設けることが多く、その結果、防水性が不十分となり雨水の室内への漏水の原因となっている。
【特許文献１】実開昭５９−１８８２３３号公報（第２図）
【特許文献２】実開平１−１５１５３５号公報（第１図）
【特許文献３】特許第３７５５０９６号公報（図２、図３）
【特許文献４】特開２００１−２０４８０号公報（図１、図２）
【特許文献５】特開２００４−３１６２７０号公報（図１、図９）
【発明の開示】
【発明が解決しようとする課題】
【０００７】
本発明は、かかる実情に鑑み、上記従来技術の問題点を解消し、野地板や、アスファルトルーフィング等の防水性下葺き材に大き目の開口部を設けたとしても、所定の寸法（面積）の開口部を容易かつ確実に形成でき、また、大き目の切り込みを入れたとしても容易かつ確実に防水でき、防水性が高く、施工が容易であり、更には、たとえ瓦の重合部の隙間から小動物等が侵入したとしても、開口部から室内にこれらが入り込むのを防ぐことのできる屋根換気用シートを提供することを目的とする。
【課題を解決するための手段】
【０００８】
上記課題を解決するための請求項１に係る本発明は、軟質防水シート、接着剤層、及び離型紙層の順での積層シートからなり、該積層シートの中央部付近には換気用開口部が設けられ、該換気用開口部には虫や小動物の侵入を防ぐ小孔が多数形成されていることを特徴とする屋根換気用シートを内容とする。
【０００９】
請求項２に係る発明は、軟質防水シートの表面にポリエチレンラミネート層を設けたことを特徴とする請求項１に記載の屋根換気用シートを内容とする。
【００１０】
請求項３に係る発明は、換気用開口部の周囲に軟質の水返し部を設けたことを特徴とする請求項１又は２に記載の屋根換気用シートを内容とする。
【００１１】
請求項４に係る発明は、軟質の水返し部がＥＰＤＭシーラーからなることを特徴とする請求項３に記載の屋根換気用シートを内容とする。
【発明の効果】
【００１２】
本発明の屋根換気用シートは、中央部付近に予め所定の寸法の換気用開口部が設けられているので、野地板や、アスファルトルーフィング等の防水性下葺き材に大き目の開口部を設けたとしても、所定の寸法（面積）の開口部を容易かつ確実に形成することができ、また、大き目の切り込みを設けたとしても、本発明の屋根換気用シートで該切り込みを覆うことにより容易且つ確実に防水性を付与することができる。従って、現場加工での開口部を設ける際に、該開口部の寸法や切り込みの寸法に過度の神経を使う必要がないので作業性が向上する。
【００１３】
また、本発明の屋根換気シートは、軟質防水シートからなり柔軟性に富むため、屋根勾配の違いや下地の不陸や凹凸に追従して密着するので作業性が良く、また優れた防水性を確保することができる。
【００１４】
また、本発明の屋根換気用シートは、換気用開口部に小孔が多数形成されているため、虫や小動物の室内への侵入を防止できる。また、小孔を多数形成しない、１個の大きな開口部に比べて開口部が拡縮しにくくなるので形状が安定し、所定の正確な寸法（面積）を確保することができるばかりでなく、取り扱い性や作業性も良好である。
【００１５】
また、本発明の屋根換気用シートは軟質防水シート、接着剤層、離型紙層の順で積層してなるので、現場で離型紙層を剥離除去するだけで接着剤層を介して下地に貼着することにより容易に設置でき、また、接着剤層により優れた防水性を確保することができる。
【００１６】
また、本発明の屋根換気用シートは、表面にポリエチレンラミネート層を設けることにより、防水性が一層向上するとともに、例えば、軟質の水返し部を接着剤等で貼着する場合の接着性が高くなり好都合である。
【００１７】
また、本発明の屋根換気用シートは、換気用開口部の周囲に軟質の水返し部を設けることにより下葺き材の後方（上方）から流下してきた雨水が該開口部から侵入するのを効果的に防止することができる。また、水返し部が軟質であるので、軟質防水シートばかりでなく水返し部も柔軟性に富むため、下地に不陸や凹凸があったとしてもこれに追従して変形し、下地に密着して優れた防水性を確保することができる。
【００１８】
また、本発明の屋根換気用シートは、軟質の水返し部をＥＰＤＭシーラーで形成することにより、一層好適に上記した追従性及び密着性による防水効果を得ることができる。
【発明を実施するための最良の形態】
【００１９】
本発明は軟質防水シート、接着剤層、及び離型紙層の順での積層シートからなり、該積層シートの中央部付近には換気用開口部が設けられ、該換気用開口部には虫や小動物の侵入を防ぐ小孔が多数形成されていることを特徴とする。
【００２０】
軟質防水シートの材質としては、不織布、織布、防水紙、ゴムアスファルトルーフィング、ＥＰＤＭゴム、ブチルゴム、軟質ポリエチレン、軟質ポリ塩化ビニル、ポリウレタン等が挙げられる。軟質防水シートの厚さは、下地の不陸や凹凸への追従性を妨げない限り特に制限されないが、概ね０．２〜２ｍｍ程度のものが好ましい。
接着剤層として使用される接着剤は、アクリル接着剤、ブチルゴム接着剤等が好適である。尚、接着剤には粘着剤も含まれる。
離型紙層は、紙のみならず、フィルム、不織布、布等からなる基材の表面に離型剤を塗工したものが挙げられる。
【００２１】
上記積層シートの中央部付近には換気用開口部が設けられ、該換気用開口部には虫や小動物の侵入を防ぐための小孔が多数形成される。この多数形成された小孔は、これらを形成しない、１個の大きな開口部に比べて開口部の拡縮がしにくくなるので形状が安定し、所定の正確な寸法（面積）が確保されるとともに、取り扱い性や作業性も良好となる。
小孔は積層シートの換気用開口部の領域内に直接小孔を穿設してもよく、また、換気用開口部を開け、該開口部に別途準備したネットや、小孔を穿設したフィルムやシートを接着、溶着等により取り付けてもよい。ネットは金属製のもの、樹脂製のもの等が例示され、これらのいずれでもよい。
【００２２】
換気用開口部の形状は特に制限されず、また、サイズは、屋根のサイズや所望の換気量により適宜決定すればよいが、通常、幅１０〜５０ｍｍ×長さ１００〜１０００ｍｍ程度から選ばれる。また、小孔の形状も特に制限されず、また、サイズも侵入を防ぐ虫や小動物により適宜決定すればよいが、余り小さくなると換気性能を低下させる虞れがあるので、矩形や円形からなる小孔の場合を例に挙げると、通常、一辺又は直径が１ｍｍ〜１０ｍｍ程度から選ばれる。
【００２３】
軟質防水シートの表面に、ポリエチレンラミネート層を設けるのが好ましい。このポリエチレンラミネート層を設けることにより、防水性が高められるとともに、例えば、軟質の水返し部を接着剤等で貼着する場合の接着性が高められる。
【００２４】
換気用開口部の周囲の一部又は全部に、軟質の水返し部を設けるのが好ましい。このような水返し部を設けることにより、後方（上方）から下葺き材上を流下してきた雨水が該開口部から室内に侵入するのが防止される。
従って、周囲の一部に設ける場合は、換気用開口部の後方（上方）、又は両側方、又はこれらの両方に（この場合は、下向きのコの字状に）設けられる。また、周囲の全部に設ける場合は、前方（下方）の水返し部と両側方の水返し部との間に、排水用の溝（隙間）を設けるのが好ましい。
【００２５】
軟質の水返し部の材質としては、ＥＰＤＭシーラー、軟質ウレタンフォーム、ポリエチレンフォーム、ＥＰＤＭゴムシート、ブチルゴムシート等が挙げられるが、耐久性や耐水性、変形追従性の面でＥＰＤＭシーラーが好ましい。この水返し部の高さは５〜５０ｍｍ程度が好ましい。
軟質の水返し部は、軟質防水シートとともに柔軟性に富むので、下地に不陸や凹凸があっても追従して変形し、下地に密着するので優れた防水性を確保することができる。
【００２６】
本発明の屋根換気用シートは、野地板（及び下葺き材）や棟の部分に設けた屋根開口部の上から設置されるが、軟質防水シート、接着剤層、及び離型紙層の順で積層され、さらに、好ましくは軟質防水シートの表面にポリエチレンラミネート層を設けた積層シートからなるため、剥離紙層を剥離して接着剤層を露出させ、これを野地板（厳密には下葺き材）上に貼着するだけで容易に設置することができる。
【００２７】
以下、実施例及び応用例を挙げて本発明を更に詳細に説明するが、本発明はかかる実施例及び応用例のみに制限されないことは云うまでもない。
【００２８】
実施例１
本実施例の換気用シートは、図１に示したように、軟質防水シート２ａ、接着剤層３、及び離型紙層４の順での積層シート１ａからなり、該積層シート１ａの中央部付近には換気用開口部５が設けられ、該換気用開口部５には虫や小動物の侵入を防ぐ小孔５ａが多数形成されている。
尚、本例では、軟質防水シート２ａの表面にポリエチレンラミネート層２ｂが設けられ、また、換気用開口部５の小孔５ａは、積層シート１ａに直接小孔５ａが穿設されている。本実施例の屋根換気用シートは、所謂、野地板換気を行う場合に好適である。
【００２９】
実施例２
本実施例の屋根換気用シート１は、実施例１のものとほぼ同様であるが、換気用開口部５の周囲３辺（上方及び両側方に下向きのコの字状）に軟質の水返し部６が設けられている点で異なる。本実施例の屋根換気用シート１は、図２（ａ）の上部が屋根の後方（上方）に向くように設置され、万一、屋根の後方（上方）から雨水が下葺き材上を流下して来たとしても、この水返し部６によって換気用開口部５への侵入を阻止される。
【００３０】
実施例３
本実施例の屋根換気用シート１は、実施例１のものとほぼ同様であるが、本実施例では、積層シート１ａに大きな１個の換気用開口部５を穿設し、ここにネット５ｂを接着テープ７で接着することにより小孔５ａを形成している点で異なる。
【００３１】
実施例４
本実施例の屋根換気用シート１は、実施例３の屋根換気用シート１の換気用開口部５の周囲３辺（上方及び両側方に下向きのコの字状）に、実施例２と同じく、軟質の水返し部６を設けた例である。軟質の水返し部６の効果は実施例２の場合と同様である。
【００３２】
実施例５
本実施例の屋根換気用シート１は、積層シート１ａの中央部に多数の小孔５ａからなる換気用開口部５が設けられ、換気用開口部５の周囲、即ち、換気用開口部５の短辺側両側縁及び長辺側両側縁（図では、積層シート１ａの長辺側両側縁付近）に軟質の水返し部６ａ、６ｂがそれぞれ設けられている。なお、図中、８は排水用の溝（隙間）で、万一、雨水が換気用開口部５と水返し部６ｂとの間に侵入した場合は、この排水用の溝８から排出される。
本実施例の屋根換気用シート１は、両流れ屋根の頂部（棟部分）において２枚の野地板の間に隙間を設けてここから排気する、所謂、棟換気を行う場合に適したものである。
【００３３】
実施例６
本実施例の屋根換気用シート１は、実施例５のものとほぼ同様であるが、本実施例では、積層シート１ａに大きな１つの換気用開口部５を穿設し、ここにネット５ｂを接着テープ７で接着することにより小孔５ａを設けている点で異なる。
【００３４】
応用例１
本発明の屋根換気用シート１を用いて屋根裏の換気をする応用例を、図７及び図８に基づいて説明する。
この応用例は、野地板換気装置Ａ及び実施例２の屋根換気用シート１を用いて、所謂、野地板換気を行う例である。なお、本応用例で用いる野地板換気装置Ａは、図７に示すとおり、立ち上がり部Ａ１、上面部Ａ２、斜降部Ａ３を有するものである。
【００３５】
本応用例は、図８に示すとおり、野地板Ｒ１及び防水性の下葺き材Ｒ２に穿孔された屋根開口部Ｒ４の上に実施例２の屋根換気用シート１を貼着し、その上から野地板換気装置Ａを覆設し、その上から瓦Ｒ５を敷設してなる。
【００３６】
屋根換気用シート１は、その換気用開口部５が屋根開口部Ｒ４と重なるように設置されている。野地板換気装置Ａはその立ち上がり部Ａ１、上面部Ａ２、斜降部Ａ３で換気用開口部５を覆うように配置されるとともに、斜降部Ａ３の下端と屋根換気用シート１の間に換気口Ｒ６が設けられている。なお、屋根開口部Ｒ４の大きさは換気用開口部５の大きさと等しいほうが好ましいが、屋根開口部Ｒ４が若干大きかったとしても、その上から屋根換気用シート１を貼着することにより、換気用開口部の寸法を一定にすることができ、即ち、容易かつ確実に所定の寸法（面積）とすることができる。
【００３７】
本応用例においては、屋根裏に篭った熱気（図８中の白抜き矢印）は、屋根開口部Ｒ４及び換気用開口部５を通って換気用シート１と野地板換気装置Ａの間に上昇して、さらに前記換気口Ｒ６を通って瓦Ｒ５の内部に移動し（図８中の実線矢印）、最後に敷設された瓦Ｒ５の重合部の隙間から外気中に放出され、廃熱される。
【００３８】
また、風の強い日など、瓦Ｒ５の重合部の隙間から風雨が吹き込んだとしても、その風雨は野地板換気装置Ａの上を通るため（図８中の破線矢印）、吹き込んだ風雨が換気用開口部５から屋根裏に直接侵入するようなことはない。なお、万一、雨水が野地板換気装置Ａを越えて上方に吹き込んだ場合は、野地板Ｒ１の上の下葺き材Ｒ２の斜面上を流下するが、野地板換気装置Ａの立ち上がり部Ａ１及び屋根換気用シート１の水返し部６で堰き止められるため、室内に侵入することはない。
また、瓦Ｒ５の重合部間から虫や小動物が侵入した場合でも、これらは小孔５ａで妨げられるので、室内には侵入しない。
【００３９】
応用例２
本発明の屋根換気用シート１を用いて屋根裏の換気をする他の応用例を、図９及び図１０に基づいて説明する。
この応用例は、棟換気装置Ｂ及び実施例６の屋根換気用シート１を用いて、所謂、棟換気を行う例である。なお、本応用例で用いる棟換気装置Ｂは、図９に示すとおり、瓦固定部兼換気口形成用の鍔部Ｂ３を両側に延設してなる上部材Ｂ１と、上部材Ｂ１の長手方向の両端部に取り付けた下部材Ｂ２からなり、下部材Ｂ２を棟部分の屋根開口部に固定することにより、上部材Ｂ１の鍔部Ｂ３と野地板Ｒ１（厳密には下葺き材Ｒ２）との間に換気口を形成させるようにして使用する。
【００４０】
本応用例は、図１０に示すとおり、棟部分に形成された、２枚の野地板Ｒ１の間の屋根開口部Ｒ４の上に実施例６の屋根換気用シート１を設置し、その上から棟換気装置Ｂを覆設し、その上部材Ｂ１に延設された鍔部Ｂ３の上に瓦Ｒ５を固定してなる。屋根換気用シート１は、その換気用開口部５が屋根開口部Ｒ４と重なるように設置されている。なお、図１０において、煩雑さを避けるため、下部材Ｂ２の記載は省略されている。
【００４１】
本応用例においては、屋根裏に篭った熱気（図１０中の白抜き矢印）は、屋根開口部Ｒ４及び換気用開口部５を通って屋根換気用シート１と野地板換気装置Ｂの間に上昇して、さらに前記野地板Ｒ２と上部材Ｂ１鍔部Ｂ３との間の換気口Ｒ６を通って瓦Ｒ５の内部に移動し、最後に敷設された瓦Ｒ５の重合部の隙間を通って外気中に放出され（図１０中の実線矢印）、廃熱される。
【産業上の利用可能性】
【００４２】
上記したとおり、本発明の屋根換気用シートは、予め所定の寸法の換気用開口部が設けられているので、野地板や、アスファルトルーフィング等の防水性下葺き材に大き目の開口部を設けたとしても、所定の寸法（面積）の開口部を容易且つ確実に形成することができ、また、大き目の切り込みを設けたとしても、該屋根換気用シートで該切り込みを覆うことにより容易且つ確実に防水性を付与することができる。従って、現場加工での開口部を設ける際に、該開口部の寸法や切り込みの寸法に過度の神経を使う必要がないので作業性が大幅に向上する。
【００４３】
また、本発明の屋根換気シートは、軟質防水シートからなり柔軟性に富むため、屋根勾配の違いや下地の不陸や凹凸に追従して密着するので作業性が良く、また優れた防水性を確保することができる。
【００４４】
更に、本発明の屋根換気用シートは、換気用開口部に小孔が多数形成されているため、虫や小動物の室内への侵入を防止できる。また、小孔を多数形成しない、１個の大きな開口部に比べて開口部が拡縮しにくくなるので形状が安定し、所定の正確な寸法（面積）を確保することができるばかりでなく、取り扱い性や作業性も良好である。
【図面の簡単な説明】
【００４５】
【図１】実施例１に係る換気用シートを示すもので、（ａ）は平面図、（ｂ）はＡ−Ａ断面図である。
【図２】実施例２に係る換気用シートを示すもので、（ａ）は平面図、（ｂ）はＢ−Ｂ断面図である。
【図３】実施例３に係る換気用シートを示すもので、（ａ）は平面図、（ｂ）はＣ−Ｃ断面図である。
【図４】実施例４に係る換気用シートを示すもので、（ａ）は平面図、（ｂ）はＤ−Ｄ断面図である。
【図５】実施例５に係る換気用シートを示すもので、（ａ）は平面図、（ｂ）はＥ−Ｅ断面図である。
【図６】実施例６に係る換気用シートを示すもので、（ａ）は平面図、（ｂ）はＦ−Ｆ断面図である。
【図７】野地板換気装置の一例を示す斜視図である。
【図８】図７の野地板換気装置と実施例２の屋根換気用シートを用いた野地板換気の応用例を示す概略断面図である。
【図９】棟換気装置の一例を示す斜視図である。
【図１０】図９の棟換気装置と実施例６の換気用シートを用いた棟換気の応用例を示す概略断面図である。
【符号の説明】
【００４６】
１  屋根換気用シート
１ａ  積層シート
２ａ  軟質防水シート
２ｂ  ポリエチレンラミネート層
３  接着剤層
４  離型紙層
５  換気用開口部
５ａ  小孔
５ｂ  ネット
６、６ａ、６ｂ  軟質の水返し部
７  接着テープ
８  排水用の溝（隙間）
Ａ  野地板換気装置
Ａ１  立ち上がり部
Ａ２  上面部
Ａ３  斜降部
Ｂ  棟換気装置
Ｂ１  上部材
Ｂ２  下部材
Ｂ３  鍔部
Ｒ１  野地板
Ｒ２  防水性の下葺き材
Ｒ３  桟木
Ｒ４  屋根開口部
Ｒ５  瓦
Ｒ６  換気口
【図１】
2009243115.tif 000003
【図２】
2009243115.tif 000004
【図３】
2009243115.tif 000005
【図４】
2009243115.tif 000006
【図５】
2009243115.tif 000007
【図６】
2009243115.tif 000008
【図７】
2009243115.tif 000009
【図８】
2009243115.tif 000010
【図９】
2009243115.tif 000011
【図１０】
2009243115.tif 000012